(57)【要約】【課題】    配線基板と１枚の板ばね材との２部品で組み立てることを可能にして必要部品点数を最少限度に抑え、部品コストや製作コストを低減する。・【解決手段】  爪検知部３５と、爪検知部３５がカセット１の誤消去防止爪２を検出する動作に連動して開閉モードを切り換えるスイッチ部（スイッチ素子）２０と、取付部３１とを備える。帯形の板ばね材３０を曲げて形作った山形部分の頂部によって爪検知部３５を形成し、板ばね材３０の一端部と他端部とに取付部３１とスイッチ部２０の開閉モードを切り換える作用部３７とを形成する。取付部３１は、配線基板１０の舌片部１３に嵌合したコ字形の嵌合部３２とこの嵌合部から延び出て配線基板１０の支え部１５に重なり合った突片部３３とを備える。【選択図】        図３
2008257761.tif 000002
【特許請求の範囲】
【請求項１】
カセットの誤消去防止爪を検出するための爪検知部と、この爪検知部が上記誤消去防止爪を検出する動作に連動して開閉モードが切り換えられるスイッチ部と、を備える誤消去防止爪検出装置において、
１枚の帯形の板ばね材を曲げて形作られた山形部分の頂部によって、上記誤消去防止爪に押されて後退変位する上記爪検知部が形成され、その板ばね材の上記爪検知部を挟んでその両側に位置する一端部と他端部とに、配線基板に取り付けられた取付部と、上記爪検知部が上記誤消去防止爪に押されて後退変位するのに伴って上記配線基板に装備された上記スイッチ部に作用してそのそのスイッチ部の開閉モードを切り換える作用部と、が振り分けて形成され、
上記取付部は、上記配線基板に形成された舌片部に嵌合されてその舌片部の裏面に重なり合ったコ字形の嵌合部とこの嵌合部から延び出て上記舌片部に隣接して上記配線基板に形成された支え部の表面に重なり合った突片部とを備えて、その突片部が上記支え部に弾接して上記嵌合部が上記舌片部に弾接することによって上記配線基板に取り付けられていると共に、上記スイッチ部が上記配線基板に実装された押ボタン型のスイッチ素子でなり、そのスイッチ素子の押ボタンが、上記作用部によって押し下げられるようになっていることを特徴とする誤消去防止爪検出装置。
【請求項２】
カセットの誤消去防止爪を検出するための爪検知部と、この爪検知部が上記誤消去防止爪を検出する動作に連動して開閉モードが切り換えられるスイッチ部と、を備える誤消去防止爪検出装置において、
配線基板に取り付けられた取付部を備える１枚の板ばね材に上記誤消去防止爪に押されて後退変位する上記爪検知部が具備されていて、その爪検知部が後退変位するのに伴って上記スイッチ部の開閉モードが切り換わるように構成されていることを特徴とする誤消去防止爪検出装置。
【請求項３】
上記スイッチ部が上記配線基板に実装されたスイッチ素子でなり、上記板ばね材に、その爪検知部が上記誤消去防止爪に押されて後退変位するのに伴って上記スイッチ素子に作用してそのスイッチ素子の開閉モードを切り換える作用部が具備されている請求項２に記載した誤消去防止爪検出装置。
【請求項４】
上記爪検知部が帯形の上記板ばね材を曲げて形作られた山形部分の頂部によって形成され、かつ、上記取付部と上記作用部とが、上記爪検知部を挟んでその両側に位置する板ばね材の一端部と他端部とに振り分けられて位置している請求項３に記載した誤消去防止爪検出装置。
【請求項５】
上記取付部が、上記配線基板に形成された舌片部に嵌合されてその舌片部の裏面に重なり合ったコ字形の嵌合部と、この嵌合部から延び出て、上記舌片部に隣接して上記配線基板に形成された支え部の表面に重なり合った突片部とを備えている請求項４に記載した誤消去防止爪検出装置。
【発明の詳細な説明】
【技術分野】
【０００１】
本発明は、磁気記録媒体を収容しているカセットの誤消去防止爪を検出することに用いられる誤消去防止爪検出装置に関する。
【背景技術】
【０００２】
磁気テープ装置に使用されるカセットには誤消去防止爪が備わっている。図５にはそのような誤消去防止爪を備えるカセットの一部を概略斜視図で示してある。同図において、１は磁気テープ（不図示）を収容している偏平箱形のカセットであり、そのカセット１の背壁の一部をコ字形にくり抜くことによって誤消去防止爪２が形成されている。そして、誤消去防止爪２を破断して取り除いたカセット１を磁気テーフ装置にローディングして装着しても、その磁気テープ装置はカセット１がローディングされたことを検出せず、そのために磁気テープ装置によってカセット１内の磁気テープが不慮に上書きされるという事態がなくなる。そして、誤消去防止爪２が破断されないまま残っているカセット１が磁気テープ装置に装着されているか否かを検出する手段として、誤消去防止爪検出装置が用いられる。
【０００３】
従来、この用途に用いられる誤消去防止スイッチとして、支持体と、この支持体から延び出た弾性金属でなるセレクタと、支持体から上記セレクタに平行に延び出た弾性金属でなるアクチュエータとを備えるものが提案されている（たとえば、特許文献１参照）。そして、この特許文献１の記載によると、当該誤消去防止スイッチでは、セレクタがカセットの誤消去防止爪を検出する爪検知部として作用し、支持体が取付部として作用し、アクチュエータがスイッチ部として作用することが示唆されている。また、特許文献１の記載によると、当該誤消去防止スイッチは、アクチュエータと、セレクタと、支持体との３部品のみで構成されていて、アクチュエータとセレクタとはばね性を備える板金を打ち抜くことによって形成され、支持体は樹脂成形体によって形成されていることから、部品点数が少なく、その製造組立も容易である旨、説明されている。
【特許文献１】特開昭６２−１８５２７０号公報
【発明の開示】
【発明が解決しようとする課題】
【０００４】
特許文献１によって示されている誤消去防止スイッチは、ばね性を備える板金に支持体を射出成形した後に、その板金からアクチュエータとセレクタとを打ち抜いたりプレス成形したりして構成することができるのものであって、当該誤消去防止スイッチ自体が単独の部品としてユニット化されている。そのため、単独部品としてユニット化されている誤消去防止スイッチは、上記したカセットの誤消去防止爪を検出するための回路（爪検出回路）を備えた配線基板に電気的接続することが必要になって、組立工程ではそのための手間がかかるということになる。また、当該誤消去防止スイッチが少ない部品で組み立てられているとしても、その必要部品にはアクチュエータと、セレクタと、支持体との３部品が必ず含まれる。
【０００５】
そこで、本発明は、スイッチ部を有する配線基板を構成部品の１つに利用することによって、必要部品点数を上掲の特許文献１によりもさらに少なく抑えることができ、組立工程もはるかに単純化される誤消去防止爪検出装置を提供することを目的とする。言い換えると、必要部品を最少限度に抑えて安価に製作することができるものでありながら動作信頼性に優れた誤消去防止爪検出装置を提供することを目的とする。
【課題を解決するための手段】
【０００６】
本発明に係る誤消去防止爪検出装置は、カセットの誤消去防止爪を検出するための爪検知部と、この爪検知部が上記誤消去防止爪を検出する動作に連動して開閉モードが切り換えられるスイッチ部と、を備える。そして、配線基板に取り付けられた取付部を備える１枚の板ばね材に上記誤消去防止爪に押されて後退変位する上記爪検知部が具備されていて、その爪検知部が後退変位するのに伴って上記スイッチ部の開閉モードが切り換わるように構成されている。
【０００７】
この構成であると、スイッチ部を備える誤消去防止爪検出装置を、配線基板と１枚の板ばね材との２部品によって構成することができ、しかも、配線基板にはスイッチ部を爪検出回路に電気的接続するための中継回路を形成することかできるので、上掲の特許文献１によって提案されている誤消去防止スイッチに比べても必要部品点数が少なく抑えられ、組立工程も簡略化される。
【０００８】
本発明では、上記スイッチ部が上記配線基板に実装されたスイッチ素子でなり、上記板ばね材に、その爪検知部が上記誤消去防止爪に押されて後退変位するのに伴って上記スイッチ素子に作用してそのスイッチ素子の開閉モードを切り換える作用部が具備されていることが望ましい。これによると、爪検知部を備えた１枚の板ばね材に、配線基板に実装されたスイッチ素子でなるスイッチ部の開閉モードを切り換える作用部も備わっているので、必要部品点数が少なくて簡略化された組立工程を経て組み立てることができるにもかかわらず、そのカセット検出の動作信頼性に優れるものとなる。
【０００９】
本発明では、上記爪検知部が帯形の上記板ばね材を曲げて形作られた山形部分の頂部によって形成され、かつ、上記取付部と上記作用部とが、上記爪検知部を挟んでその両側に位置する板ばね材の一端部と他端部とに振り分けられて位置していることが望ましい。これによれば、帯形の板ばね材に曲げ加工などを講じるだけで爪検知部と共に取付部や作用部を製作することが可能になって板ばね材の製作が容易になる。
【００１０】
本発明では、上記取付部が、上記配線基板に形成された舌片部に嵌合されてその舌片部の裏面に重なり合ったコ字形の嵌合部と、この嵌合部から延び出て、上記舌片部に隣接して上記配線基板に形成された支え部の表面に重なり合った突片部とを備えていることが望ましい。これによれば、嵌合部を配線基板の舌片部に嵌合させ、かつ、突片部を配線基板の支え部に重ね合わせるだけで板ばね材を配線基板に取り付けることが可能になって、組立工程が顕著に簡略化されることになる。
【００１１】
本発明に係る誤消去防止爪検出装置は、カセットの誤消去防止爪を検出するための爪検知部と、この爪検知部が上記誤消去防止爪を検出する動作に連動して開閉モードが切り換えられるスイッチ部と、を備える誤消去防止爪検出装置において、１枚の帯形の板ばね材を曲げて形作られた山形部分の頂部によって、上記誤消去防止爪に押されて後退変位する上記爪検知部が形成され、その板ばね材の上記爪検知部を挟んでその両側に位置する一端部と他端部とに、配線基板に取り付けられた取付部と、上記爪検知部が上記誤消去防止爪に押されて後退変位するのに伴って上記配線基板に装備された上記スイッチ部に作用してそのそのスイッチ部の開閉モードを切り換える作用部と、が振り分けて形成され、上記取付部は、上記配線基板に形成された舌片部に嵌合されてその舌片部の裏面に重なり合ったコ字形の嵌合部とこの嵌合部から延び出て上記舌片部に隣接して上記配線基板に形成された支え部の表面に重なり合った突片部とを備えて、その突片部が上記支え部に弾接して上記嵌合部が上記舌片部に弾接することによって上記配線基板に取り付けられていると共に、上記スイッチ部が上記配線基板に実装された押ボタン型のスイッチ素子でなり、そのスイッチ素子の押ボタンが、上記作用部によって押し下げられるようになっている、という構成を採用することによっていっそう具体化される。この発明の作用などについては後述する実施形態を参照して詳細に説明する。
【発明の効果】
【００１２】
以上のように、本発明に係る誤消去防止爪検出装置は、スイッチ部を搭載した配線基板と１枚の板ばね材との２部品で組み立てられるために、その必要部品点数が最少限度に抑えられて部品コストや製作コストが安価になるという効果が奏される。それにもかかわらず、１枚の板ばね材に、取付部と爪検知部と作用部とを設けて作用部が爪検知部に連動する構成を採用してあるので、その動作信頼性も向上する。
【発明を実施するための最良の形態】
【００１３】
図１は本発明の実施形態に係る誤消去防止爪検出装置の概略平面図であり、図２は同爪検出装置に用いられている配線基板１０の裏面に形成されている中継回路パターンを示した正面図である。
【００１４】
図１のように、この誤消去防止爪検出装置では、配線基板１０にプッシュ型のスイッチ素子２０が実装されていて、このスイッチ素子２０によってスイッチ部が構成されている。また、配線基板１０には所定形状に曲げ加工されている帯形の１枚の板ばね材３０が装備されている。この板ばね材３０は、配線基板１０に取り付けられた取付部３１と、山形部分の頂部でなる爪検知部３５と、スイッチ素子２０の押ボタン２１を押し下げるための作用部３７とを備えている。さらに、図２のように、配線基板１０の裏面には中継回路パターン１２が形成されていると共に、図１のようにその配線基板１０がＩＣチップなどの制御部品（不図示）を搭載した制御基板１００に組み合わされて、その制御基板１００に備わっている制御回路に上記中継回路パターン１２を介してスイッチ素子２０の接点が電気的接続されている。
【００１５】
板ばね材３０において、爪検知部３５はその長手方向中間部に形成されているのに対し、取付部３１はその長手方向一端部に形成され、作用部３７はその長手方向他端部（自由端部）に形成されている。図１及び図２を併せ見ることによって判るように、配線基板１０は、平行な２乗の切込み１４，１４を形成することによって形成されている略矩形の舌片部１３を有している。これに対し、板ばね材３０の取付部３１は、配線基板１０の舌片部１３に嵌合されてその舌片部１３の裏面１３ａに重なり合ったコ字形の嵌合部３２とこの嵌合部３２から延び出て上記配線基板１０に形成されている支え部１５の表面１５ａに重なり合った突片部３３とを備えている。そして、突片部３３が支え部１５に弾接して嵌合部３２が舌片部１３に弾接することによって配線基板１０に固定的に取り付けられている。したがって、この板ばね材３０は取付部３１が配線基板１０に片持ち状に取り付けられている。なお、上記支え部１５は、舌片部１３に隣接して配線基板１０に形成されている。
【００１６】
以上の構成を備える誤消去防止爪検出装置は、１枚の板ばね材３０を中継回路パターン１２を備えた１枚の配線基板１０と組み合わせることによって構成されている。しかも、板ばね３０は、取付部３１がコ字形であり、爪検知部３５が山形であるために、１回の曲げ加工によって容易にかつ安価に製作することが可能である。さらに、板ばね材３０を配線基板１０に取り付ける工程は、板ばね材３０の取付部３１を配線基板１０の舌片部１３に嵌合させるだけで済み、そのようにすると取付部３１の突片部３３も配線基板１０の支え部１５に自然に重なり合い、しかも、半田付けやビス止めなどの特別な固定手段を用いずに取付部１５が配線基板１０に固定される。したがって、この誤消去防止爪検出装置は、必要部品点数が１枚の板ばね材３０とスイッチ素子２０を搭載した配線基板１０との２部品となり、しかも、組立工程も顕著に単純化されているということが云える。
【００１７】
次に作用を説明する。
【００１８】
図３及び図４において、１はカセット、２は誤消去防止爪を示している。図３に矢印ａで示したように、誤消去防止爪２が取り除かれていないカセット１が当該誤消去防止爪検出装置に接近してくると、実線で示したように誤消去防止爪２が爪検知部３５を板ばね材３０の弾性に抗して押し込む。こうして誤消去防止爪２によって爪検知部３５が押し込まれると、爪検知部３５が後退変位し、その後退変位に作用部３７が連動してスイッチ素子２０の押ボタン２１を押し下げる。このときの押ボタン２１の押し下げ動作によってスイッチ素子２０の開閉モードが切り換わり、カセット１に誤消去防止爪２が備わっていることが検出される。言い換えると、カセット１が磁気テープ装置（不図示）にローディングされて装着されたことが検出される。これに対し、カセット１が磁気テープ装置からアンローディングされると、誤消去防止爪２が爪検知部２５から離れるので、板ばね材３０がその弾性により初期形状に復元してスイッチ素子２０の開閉モードが切り換わり、カセット１がアンローディングされたことが検出される。
【００１９】
一方、図４に矢印ａで示したように、誤消去防止爪２が取り除かれたカセット１が当該誤消去防止爪検出装置に接近してくると、カセット１の誤消去防止爪２の取り除き跡に形成される開口１６に爪検知部３５が嵌まり込む。このため、このときには、板ばね材３０が変位することなく初期形状のまま留まっている。したがって、スイッチ素子２０の開閉モードも切り換わらない。その結果、カセット１の誤消去防止爪２が取り除かれていることが検出され、磁気テープが不慮に上書きされるという事態が起こらない。
【００２０】
この実施形態では、板ばね材３０に取付部３１と爪検知部３５と作用部３７とを具備させた形態として、爪検知部３５を板ばね材３０の長手方向中間部に位置させ、取付部３１と作用部３７とを板ばね材３０の長手方向の一端部と他端部とに振り分けて位置させた事例を説明したけれども、この点は、爪検知部３５を板ばね材３０の他端部に位置させて作用部３７を板ばね材３０の長手方向中間部に位置させることも可能である。
【００２１】
また、この実施形態では、取付部３１を嵌合部３１と突片部３３とによって形成し、それら両者３１，３３によって配線基板１０を弾性的に挟み付ける態様で板ばね材３０を配線基板１０に取り付けてあるけれども、この点は、取付部３１平坦な形状にしてそれを配線基板１０に半田付けしたりビス止めしたりして取り付けることも可能である。
【図面の簡単な説明】
【００２２】
【図１】本発明の実施形態に係る誤消去防止爪検出装置の概略平面図である。
【図２】同爪検出装置に用いられている配線基板の裏面に形成されている中継回路パターンを示した正面図である。
【図３】作用説明図である。
【図４】作用説明図である。
【図５】誤消去防止爪を備えるカセットの一部概略斜視図である。
【符号の説明】
【００２３】
１  カセット
２  誤消去防止爪
１３  舌片部
１３ａ  舌片部の裏面
１５  支え部
１５ａ  支え部の表面
２０  スイッチ素子（スイッチ部）
２１  スイッチ素子の押ボタン
３０  板ばね材
３１  取付部
３２  嵌合部
３３  突片部
３５  爪検知部
３７  作用部
【図１】
2008257761.tif 000003
【図２】
2008257761.tif 000004
【図３】
2008257761.tif 000005
【図４】
2008257761.tif 000006
【図５】
2008257761.tif 000007